(57)【特許請求の範囲】
【請求項１】
部品を被配設部材に配設するに際して用いられる部品を保持する保持具であって、
前記保持具は、
前記部品が保持される保持部と、
前記保持部よりも前方側に突出した凸部と、
該保持具を被配設部材に付勢する付勢部材
とを具備してなり、
前記保持具は、左側面部と、後面部と、右側面部とを具備した断面略コ字形に構成されたものであり、
前記部品保持部は、前記左側面部と前記後面部と前記右側面部とで囲まれる空間で構成されてなり、
前記凸部は、前記左側面部および前記右側面部の少なくとも一方の前端側が、前記部品保持部に保持された部品よりも前方側に突出して構成されるものである
ことを特徴とする部品保持具。
【請求項２】
部品を被配設部材に配設するに際して用いられる部品を保持する保持具であって、
前記保持具は、
前記部品が保持される保持部と、
前記保持部よりも前方側に突出した凸部と、
該保持具を被配設部材に付勢する付勢部材
とを具備してなり、
前記付勢部材はアームを具備したものであり、
前記アームが被配設部材の前面に弾接することで、部品を保持した部品保持具が被配設部材の後方側から被配設部材に付勢されるよう構成されたものである
ことを特徴とする部品保持具。
【請求項３】
付勢部材はアームを具備したものであり、
前記アームが被配設部材の前面に弾接することで、部品を保持した部品保持具が被配設部材の後方側から被配設部材に付勢されるよう構成されたものである
ことを特徴とする請求項１の部品保持具。
【請求項４】
部品保持具で保持された部品が配設される被配設部材は開口を有する部材であり、
保持部に部品が保持された部品保持具は、その横転状態で、前記開口の前方側から後方側に挿入可能に構成されてなる
ことを特徴とする請求項１〜請求項３いずれかの部品保持具。
【請求項５】
（部品保持具の前後方向の寸法）≦（開口の一方向における開口寸法）を満たすよう部品保持具が構成されてなる
ことを特徴とする請求項４の部品保持具。
【請求項６】
部品を被配設部材に配設するに際して用いられる部品を保持する保持具であって、
前記保持具は、
前記部品が保持される保持部と、
前記保持部よりも前方側に突出した凸部と、
該保持具を被配設部材に付勢する付勢部材
とを具備してなり、
前記部品保持具で保持された部品が配設される被配設部材は開口を有する部材であり、
前記開口は、第１の開口と、該第１の開口に繋がった第２の開口とを具備し、
前記第１の開口は、保持部に部品が保持された部品保持具が、被配設部材に対して配設される姿勢と略同じ姿勢で以って、該第１の開口の前方側から後方側に挿入可能に構成されてなり、
前記第２の開口は、保持部に部品が保持された部品保持具が、被配設部材に対して配設される姿勢と同じ姿勢で以っては、該第２の開口の前方側から後方側に挿入不可能に構成されてなり、
前記第１の開口の前方側から後方側に挿入された保持部に部品が保持された部品保持具が、前記第２の開口側に移動可能に構成されてなる
ことを特徴とする部品保持具。
【請求項７】
部品保持具で保持された部品が配設される被配設部材は開口を有する部材であり、
前記開口は、第１の開口と、該第１の開口に繋がった第２の開口とを具備し、
前記第１の開口は、保持部に部品が保持された部品保持具が、被配設部材に対して配設される姿勢と略同じ姿勢で以って、該第１の開口の前方側から後方側に挿入可能に構成されてなり、
前記第２の開口は、保持部に部品が保持された部品保持具が、被配設部材に対して配設される姿勢と同じ姿勢で以っては、該第２の開口の前方側から後方側に挿入不可能に構成されてなり、
前記第１の開口の前方側から後方側に挿入された保持部に部品が保持された部品保持具が、前記第２の開口側に移動可能に構成されてなる
ことを特徴とする請求項１〜請求項５いずれかの部品保持具。
【請求項８】
第１の開口は、その正面視における形状が、保持部に部品が保持された部品保持具（但し、付勢部材を除く。）の正面視における形状以上の大きな形状のものであり、
第２の開口は、前記第１の開口の前方側から被配設部材の後方側に挿入された保持部に部品が保持された部品保持具が該第２の開口側にスライドさせられた場合、該保持部に部品が保持された部品保持具を後方側から被配設部材の前方側に抜き取ることが出来ない形状のものである
ことを特徴とする請求項６又は請求項７の部品保持具。
【請求項９】
部品を被配設部材に配設するに際して用いられる部品を保持する保持具であって、
前記保持具は、
前記部品が保持される保持部と、
前記保持部よりも前方側に突出した凸部と、
該保持具を被配設部材に付勢する付勢部材
とを具備してなり、
前記部品保持具で保持された部品が配設される被配設部材は開口を有する部材であり、
前記部品保持具の凸部が前記開口に掛止するよう構成されてなり、
前記開口に掛止した凸部と付勢部材との協同作用によって、保持部に保持された部品が被配設部材に弾接されるよう構成されてなる
ことを特徴とする部品保持具。
【請求項１０】
部品保持具で保持された部品が配設される被配設部材は開口を有する部材であり、
前記部品保持具の凸部が前記開口に掛止するよう構成されてなり、
前記開口に掛止した凸部と付勢部材との協同作用によって、保持部に保持された部品が被配設部材に弾接されるよう構成されてなる
ことを特徴とする請求項１〜請求項８いずれかの部品保持具。
【請求項１１】
部品を被配設部材に配設するに際して用いられる部品を保持する保持具であって、
前記保持具は、
前記部品が保持される保持部と、
前記保持部よりも前方側に突出した凸部と、
該保持具を被配設部材に付勢する付勢部材
とを具備してなり、
前記部品保持具で保持された部品が配設される被配設部材は開口を有する部材であり、
前記部品保持具の凸部が前記開口に掛止するよう構成されてなり、
前記開口に掛止した凸部と、付勢部材と、保持部に保持された部品との協同作用によって、保持部に保持された部品が被配設部材に弾接されるよう構成されてなる
ことを特徴とする部品保持具。
【請求項１２】
部品保持具で保持された部品が配設される被配設部材は開口を有する部材であり、
前記部品保持具の凸部が前記開口に掛止するよう構成されてなり、
前記開口に掛止した凸部と、付勢部材と、保持部に保持された部品との協同作用によって、保持部に保持された部品が被配設部材に弾接されるよう構成されてなる
ことを特徴とする請求項１〜請求項８いずれかの部品保持具。
【請求項１３】
部品はナットであり、
前記ナットの螺子孔に対応して部品保持具には孔が構成されてなる
ことを特徴とする請求項１〜請求項１２いずれかの部品保持具。
【請求項１４】
請求項１〜請求項６、請求項９〜請求項１３いずれかの部品保持具に保持されたナットを、開口を有する被配設部材の後面側に配設するナットの配設方法であって、
前記被配接部材の前面側に前記部品保持具が備える付勢部材を接触させ、前記部品保持具に保持されたナットを横転状態で前記開口の前面側から後面側に挿入し、挿入後に前記ナットが前記被配設部材の後面に沿って配されるよう前記ナットの姿勢制御を行なう
ことを特徴とする配設方法。
【請求項１５】
請求項６〜請求項８いずれかの部品保持具に保持されたナットを、開口を有する被配設部材の後面側に配設するナットの配設方法であって、
前記部品保持具に保持されたナットを前記第１の開口の前面側から後面側に挿入し、前記被配接部材の前面側に前記部品保持具が備える付勢部材を接触させ、この後で前記ナットを前記第２の開口の位置にスライドさせる
ことを特徴とする配設方法。
【発明の詳細な説明】
【技術分野】
【０００１】
本発明は、例えばナット等の部品の保持具に関する。
【背景技術】
【０００２】
各種の工事に際して、プレート背面側に配設されたナットにプレート前面側からボルトを捩じ込まなければならない場合が縷々有る。このような場合、プレートに予めナットが取り付けられてなければ、後から、背面側にナットを配設しなければならない。
【０００３】
しかしながら、プレート前面側からプレート背面側に手を差し伸べてナット等の部品を背面側に取り付けることが出来ない場合も有る。このようなことに鑑み、プレート前面側からプレートに設けられた開口にナット装置を差込み、これを、例えば９０°回転（差込方向（挿入方向）を軸芯として、例えば時計方向に９０°回転）させて掛止させるようにしたものが提案されている。
【先行技術文献】
【特許文献】
【０００４】
【特許文献１】実公平５−２９７９１号公報
【特許文献２】実開平７−３４０１９号公報
【特許文献３】意匠第１０８２６８６号
【発明の概要】
【発明が解決しようとする課題】
【０００５】
しかしながら、上記提案のものでは、ナットを開口から差し込んだ後で９０°回転させるものであるが故に、その作業性が悪い。特に、ナット等の部品の如くに小さなものである場合、これを開口から差込み、該部品の少しだけ突出した手前側部分を持って９０°回転させると言った作業性は非常に悪い。すなわち、回転させる為に手にすることが出来る部分は手前側に僅かに突出した部分であるから、この僅かに突出した箇所を把持して回転（回動）させる作業は簡単では無い。場合によっては、背面側に落としてしまう恐れすら有る。更には、例えばナットの位置ズレも起き易い。又、回転させることで掛止させるものであるが故に、どうしても、大きな隙間が生じる。又、特殊な形状のナットを用いるので、一般的な六角ナットなどに比べ高価となる。
【０００６】
従って、本発明が解決しようとする課題は、プレート等の部材の前面側からの極めて簡単な作業で、例えば押し込むと言った簡単な作業で、プレート等の部材の背面側に、ナット等の部品を簡単に、しかも、位置ズレが起きることも無く、しっかり取り付けることが出来、更には隙間も大きくないものが出来る技術を提供することである。
【課題を解決するための手段】
【０００７】
前記の課題は、
部品を被配設部材に配設するに際して用いられる部品を保持する保持具であって、
前記保持具は、
前記部品が保持される保持部と、
前記保持部よりも前方側に突出した凸部と、
該保持具を被配設部材に付勢する付勢部材
とを具備してなることを特徴とする部品保持具によって解決される。
【０００８】
又、上記部品保持具であって、好ましくは、上記部品保持具は、例えば左側面部と、後面部と、右側面部とを具備した断面略コ字形に構成されたものであり、部品保持部は、前記左側面部と前記後面部と前記右側面部とで囲まれる空間で構成されてなり、凸部は、前記左側面部および前記右側面部の少なくとも一方の前端側が、前記部品保持部に保持された部品よりも前方側に突出して構成されてなることを特徴とする部品保持具によって解決される。
【０００９】
又、上記部品保持具であって、好ましくは、上記部品保持具の付勢部材は、例えばアームを具備したものであり、このアームが被配設部材の前面に弾接することで、部品を保持した部品保持具が被配設部材の後方側から被配設部材に付勢されるよう構成されてなることを特徴とする部品保持具によって解決される。
【００１０】
上記部品保持具で保持された部品が配設される被配設部材は、好ましくは、開口を有する部材である。そして、保持部に部品が保持された部品保持具は、例えば、その横転状態で、この開口の前方側から後方側に挿入可能に構成される。例えば、（部品保持具の前後方向の寸法）≦（開口の一方向における開口寸法）を満たすよう部品保持具が構成される。すなわち、斯かる構造（形状）に構成させたならば、開口を介して、保持部に部品が保持された部品保持具を横転状態にて前方側から後方側に挿入できる。
【００１１】
保持部に部品が保持された部品保持具を、横転状態にさせずとも、開口を介して、前方側から後方側に挿入できるようにすることも可能である。その為には、開口の形状を次のような形状（構造）にする。すなわち、開口を、例えば第１の開口と、この第１の開口に繋がった第２の開口とで構成する。第１の開口は、保持部に部品が保持された部品保持具が、被配設部材に対して配設される姿勢と略同じ姿勢で以って、第１の開口の前方側から後方側に挿入可能に構成される。第２の開口は、保持部に部品が保持された部品保持具が、被配設部材に対して配設される姿勢と同じ姿勢で以っては、第２の開口の前方側から後方側に挿入不可能に構成される。そして、第１の開口の前方側から後方側に挿入された保持部に部品が保持された部品保持具が、第２の開口側に移動可能なように構成される。前記構成は、例えば、第１の開口は、その正面視における形状が、保持部に部品が保持された部品保持具（但し、付勢部材を除く。）の正面視における形状以上の大きな形状のものである。ここで、以上の大きな形状とは、保持部に部品が保持された部品保持具を第１の開口から挿通できる程度のものであれば十分である。これに対して、第２の開口は、第１の開口の前方側から被配設部材の後方側に挿入された保持部に部品が保持された部品保持具が第２の開口側にスライドさせられた場合、保持部に部品が保持された部品保持具を後方側から被配設部材の前方側に抜き取ることが出来ない形状のものである。
【００１２】
上記部品保持具で保持された部品が配設される被配設部材は、好ましくは、開口を有する部材である。そして、好ましくは、前記部品保持具の凸部が前記開口に掛止するよう構成されてなる。かつ、前記開口に掛止した凸部と付勢部材との協同作用によって、保持部に保持された部品が被配設部材に弾接されるよう構成される。特に好ましくは、前記開口に掛止した凸部と、付勢部材と、保持部に保持された部品との協同作用によって、保持部に保持された部品が被配設部材に弾接されるよう構成される。
【００１３】
部品保持具で保持される部品がナットの場合、ナットの螺子孔に対応して部品保持具には孔が構成されていることが好ましい。
【００１４】
又、前記の課題は、
ナットを保持させた保持具を用いて、開口を有する被配設部材に配設するナットの配設方法であって、
前記開口の縦の長さは、前記ナットの高さよりも長く、前記ナットの幅よりも狭い長さで、前記開口の横の長さが、前記保持具の最も長い部分より長い開口であり、
前記被配接部材の前面側に前記保持具が備える付勢部材を接触させ、前記開口に前記ナットの高さ面を向かい合う向きで前記保持具を前記開口に挿入し、挿入途中で前記ナットの座面が前記開口に向かい合う向きになるように回転させることで、前記保持具の備える凸部が前記開口に嵌って、前記ナットの座面が前記被配接部材の後面側に接するように配設させる
ことを特徴とする配設方法によって解決される。
【００１５】
又、上記の部品保持具に保持されたナットを、開口を有する被配設部材の後面側に配設するナットの配設方法であって、
前記被配接部材の前面側に前記部品保持具が備える付勢部材を接触させ、前記部品保持具に保持されたナットを横転状態で前記開口の前面側から後面側に挿入し、挿入後に前記ナットが前記被配設部材の後面に沿って配されるよう前記ナットの姿勢制御を行なう
ことを特徴とする配設方法によって解決される。
【００１６】
又、上記の部品保持具に保持されたナットを、開口を有する被配設部材の後面側に配設するナットの配設方法であって、
前記部品保持具に保持されたナットを前記第１の開口の前面側から後面側に挿入し、前記被配接部材の前面側に前記部品保持具が備える付勢部材を接触させ、この後で前記ナットを前記第２の開口の位置にスライドさせる
ことを特徴とする配設方法によって解決される。
【発明の効果】
【００１７】
上記部品保持具（取付具）が用いられたならば、例えば開口を有するプレート等の被配設部材の前面側からの簡単な作業で、被配設部材の背面側に、ナット等の部品を、簡単に、配設できる。特に、バネ等の弾接部材（付勢部材）を用いているので、部品保持具が位置ズレすることなく、しっかりと、取り付けられる。そして、部品が保持される保持部の形状を変更することで対応できるから、汎用性が高い。尚、部品がナットの場合には、ナットを保持する保持部の形状をナットが供回りしないような形状とすれば、保持具の凸部が被配接部材の開口に掛止されて被配接部材に接しているので、ナットを介して保持具に伝わる供回りの回転運動を抑止することが出来、ボルト接合時のナットの供回りが防止される。
【図面の簡単な説明】
【００１８】
【図１】本発明になる部品保持具の斜視図
【図２】本発明になる部品保持具の部品保持部に部品が保持された状態での部品保持具の斜視図
【図３】図２の部品保持具を被配設部材に配設する第１段階での斜視図
【図４】図２の部品保持具を被配設部材に配設する第２段階での斜視図
【図５】図２の部品保持具を被配設部材に配設する最終段階での平面図
【図６】図２の部品保持具を他の構造の被配設部材に配設する第１段階での正面図
【図７】図２の部品保持具を他の構造の被配設部材に配設する第１段階での平面図
【図８】図２の部品保持具を他の構造の被配設部材に配設する最終段階での正面図
【図９】本発明の第３実施形態になる部品保持具の斜視図
【図１０】本発明の第４実施形態になる部品保持具の側面図
【発明を実施するための形態】
【００１９】
本発明は、例えばナット等の各種の部品を被配設部材に配設するに際して用いられる部品を保持する部品保持具である。被配設部材に配設されると言う観点から、部品保持具は部品取付具であるとも言える。被配設部材は、特に、開口を有するものである。この開口を介して、部品（例えば、ナット）が保持された部品保持具を、被配設部材の前面側から背面側に挿通し、挿通後に部品保持具が被配設部材に取り付けられるように構成されたものである。本発明の部品保持具は、部品が保持される保持部を有する。かつ、前記保持部よりも前方側に突出した凸部を有する。更には、保持具を被配設部材に付勢する付勢部材を有する。
【００２０】
前記保持具は、例えば断面略コ字形に構成されている。すなわち、左側面部と、後面部と、右側面部とを具備する。斯くの如くに構成させたならば、部品保持部は、前記左側面部と前記後面部と前記右側面部とで囲まれる空間で構成される。そして、保持部よりも前方側に突出した凸部は、前記左側面部の前端側を、部品保持部に保持された部品よりも前方側に突出させることで構成される。或は、前記右側面部の前端側を、部品保持部に保持された部品よりも前方側に突出させることで構成される。又は、前記左側面部の前端側および前記右側面部の前端側を、部品保持部に保持された部品よりも前方側に突出させることで構成される。
【００２１】
前記付勢部材は、例えば弾撥性を有するプラスチック材あるいは金属材を用いて構成される。この部材はアームを有する。すなわち、弾撥性を有するアームを具備している。このアームが被配設部材の前面に弾接することで、部品を保持した部品保持具が被配設部材の後方側から被配設部材に付勢されるようになっている。尚、アームが被配設部材の前面に弾接すると言うことは、アームは部品保持具の前方側に位置しているように設けられている。但し、必ずしも、前記凸部よりも前面側に突出している必要は無い。そして、被配設部材の開口から部品保持具を被配設部材の前面側より背面側に挿通する場合、前記開口よりも上下（上及び／又は下）方向に延在している前記アームが被配設部材の前面に引っ掛かるようになることから、部品保持具が被配設部材の背面側に誤って落下してしまうと言った不手際が改善される。
【００２２】
部品保持具で保持された部品が配設される被配設部材は、上述の如く、特に、開口を有する。そして、保持部に部品が保持された部品保持具は、これを横転状態（取付時の状態を正面図とした場合、上面側（或は、下面側）を後背側に９０°以内の角度で倒した状態）にしたならば、前記開口の前方側から後方側に挿入可能に構成されている。すなわち、保持部に部品が保持された部品保持具の大きさと、開口の大きさとが、上述の如くに構成されている。例えば、（部品保持具の前後方向の寸法）≦（開口の一方向における開口寸法）を満たすよう部品保持具が構成されている。すなわち、（部品保持具の前後方向の寸法）≦（開口の一方向における開口寸法）を満たすよう部品保持具や開口を構成しておけば、横転状態にした部品保持具を、開口の前方側から後方側に挿入できる。
【００２３】
開口を、下記の如くに構成させたならば、部品保持具を横転させなくても、開口の前方側から後方側に挿入できる。すなわち、開口を、第１の開口と、該第１の開口に繋がった第２の開口とで構成させる。そして、第１の開口は、保持部に部品が保持された部品保持具が、被配設部材に対して配設される姿勢と略同じ姿勢で以って、該第１の開口の前方側から後方側に挿入可能に構成させる。例えば、第１の開口の正面視における形状が、保持部に部品が保持された部品保持具（但し、付勢部材を除く。）の正面視における形状以上の大きな形状のものとする。尚、大きな形状と謂えども、必要以上に大きくすると、隙間が大きなものとなってしまうから、両者間の寸法差は５ｍｍ以内のものとしておくことが好ましい。すなわち、第１の開口に寸法差が５ｍｍともなるような大きな開口は要らない。これに対して、第２の開口は、保持部に部品が保持された部品保持具を、被配設部材に対して配設される姿勢と同じ姿勢で以っては、第２の開口の前方側から後方側に挿入不可能に構成される。そして、第１の開口の前方側から後方側に挿入された保持部に部品が保持された部品保持具を、第２の開口側に移動可能に構成する。例えば、第１の開口の前方側から被配設部材の後方側に挿入された保持部に部品が保持された部品保持具を第２の開口側にスライドさせることが出来、そしてスライドした場合、保持部に部品が保持された部品保持具を後方側から被配設部材の前方側に抜き取ることが出来ない形状に構成しておく。尚、このスライドの場合でも、作業は容易である。
【００２４】
部品保持具の凸部は、好ましくは、開口（開口縁）に掛止するよう構成されている。そして、開口に掛止した凸部と付勢部材との協同作用によって、保持部に保持された部品が被配設部材に弾接されるよう構成されている。特に、開口に掛止した凸部と、付勢部材と、保持部に保持された部品との協同作用によって、保持部に保持された部品が被配設部材に弾接されるよう構成されている。
【００２５】
他の本発明はナットの配設方法である。すなわち、ナットを保持させた保持具を用いて、開口を有する被配設部材に配設するナットの配設方法である。この発明は、前記開口の縦の長さが、前記ナットの高さよりも長く、前記ナットの幅よりも狭い長さで、前記開口の横の長さが、前記保持具の最も長い部分より長い開口である。そして、前記被配接部材の前面側に前記保持具が備える付勢部材を接触させ、前記開口に前記ナットの高さ面を向かい合う向きで前記保持具を前記開口に挿入し、挿入途中で前記ナットの座面が前記開口に向かい合う向きになるように回転させることで、前記保持具の備える凸部が前記開口に嵌って、前記ナットの座面が前記被配接部材の後面側に接するように配設させる方法である。例えば、上記の部品保持具に保持されたナットを、開口を有する被配設部材の後面側に配設するナットの配設方法である。そして、前記被配接部材の前面側に前記部品保持具が備える付勢部材を接触させ、前記部品保持具に保持されたナットを横転状態で前記開口の前面側から後面側に挿入し、挿入後に前記ナットが前記被配設部材の後面に沿って配されるよう前記ナットの姿勢制御を行なう方法である。或は、前記部品保持具に保持されたナットを前記第１の開口の前面側から後面側に挿入し、前記被配接部材の前面側に前記部品保持具が備える付勢部材を接触させ、この後で前記ナットを前記第２の開口の位置にスライドさせる方法である。
【００２６】
以下、本発明について更に詳しく説明する。
【００２７】
図１〜図５は、本発明の第１実施形態を説明するものである。図１は、部品保持具の斜視図である。図２は、部品保持部に部品が保持された状態での部品保持具の斜視図である。図３は、部品が保持された部品保持具（図２参照）を被配設部材に配設する第１段階での斜視図である。図４は、部品が保持された部品保持具（図２参照）を被配設部材に配設する第２段階での斜視図である。図５は、部品が保持された部品保持具（図２参照）を被配設部材に配設した最終段階での平面図である。
【００２８】
各図中、１は部品保持具である。部品保持具１の本体は、左側面部２と、後面部３と、右側面部４とを有する。左側面部２と後面部３と右側面部４とは、一体化していて、断面略コ字形（略Ｕ字形）に構成されている。例えば、樹脂を用いた成型により一体構成されたものである。勿論、各々別々の部材が接着やネジ等により結合されたものでも良い。コスト面から鑑みたならば、一体成型により構成されたものが好ましい。そして、左側面部２と後面部３と右側面部４とで囲まれる空間が、部品保持部５となる。尚、左側面部２と後面部３と右側面部４とで囲まれる空間、即ち、部品保持部５の内空間は、保持しようとする部品の外形を考慮して構成される。部品６が、例えば六角ナットであれば、部品（六角ナット）６の外形に応じて、左側面部２や右側面部４の内形が、断面略く字形状に構成されている。従って、断面略く字形状部に六角ナット６を嵌合させると、六角ナット６は、空回りすること無く、リジッドに保持される。
【００２９】
図２からも判る通り、左側面部２や右側面部４は、その前端が、部品保持部５に保持（嵌合）させた部品（六角ナット）６の前端よりも飛び出しているように構成されている。この飛び出している部分が、部品保持部５よりも前方側に突出した凸部７，８である。従って、部品保持部５に保持（嵌合）させた部品（六角ナット）６は、部品保持具１の前端面よりも後方側に凹んだ如きになっている。
【００３０】
9，１０は、コイルバネである。このコイルバネ９，１０の中央環状部が左側面部２や右側面部４に設けられた軸（図示せず）に遊嵌されることで、コイルバネ９，１０は部品保持具１に取り付けられている。尚、９ａ，９ｂはコイルバネ９の先端側アーム部、１０ａ，１０ｂはコイルバネ１０の先端側アーム部である。そして、コイルバネ９，１０の上下方向の長さは、後述の開口１３の上下方向の長さ（ｄ）よりも長いように構成されている。
【００３１】
１１は、後面部３に形成された孔である。すなわち、部品保持部５に保持（嵌合）された部品６が六角ナットである場合、この六角ナットにボルトが捩じ込まれて来た場合、ボルト先端が後面部３に衝突しないようにする為、後面部３には孔１１が形成されている。
【００３２】
１２は、部品保持具１で保持された部品が配設される（取り付けられる：掛止される）被配設部材である。尚、被配設部材１２の形状は、特別には限定されないが、理解を容易なものとする為、以下では、単に、プレート（板体）であるとしておく。１３は、被配設部材（プレート）１２に形成されている開口である。尚、開口１３の形状は、特別には限定されないが、理解を容易なものとする為、以下では、単に、矩形であるとしておく。すなわち、開口１３の形状は、ｃ×ｄの大きさの矩形である。尚、寸法ｃは、部品保持具１の左右方向の寸法ａより多少長い。これは、理論的にはｃ＝ａでも良いが、現実的には、寸法の変動などを考慮して、かつ、部品保持具１を開口１３から挿入する作業をスムーズなものとする為、ｃ＝ａ＋数ｍｍ（例えば、１ｍｍ程度）であるよう構成されている。例えば、ａ＜ｃ≦ａ＋３ｍｍのように構成されている。寸法ｄは、部品保持具１の前後方向の寸法ｂより多少長い。これは、理論的にはｄ＝ｂでも良いが、現実的には、寸法の変動などを考慮して、かつ、部品保持具１を開口１３から挿入する作業をスムーズなものとする為、ｄ＝ｂ＋数ｍｍ（例えば、１ｍｍ程度）であるよう構成されている。例えば、ｂ＜ｄ≦ｂ＋３ｍｍのように構成されている。
【００３３】
上記のように構成させた部品保持具１を、開口１３を有する被配設部材１２に、取り付ける作業工程について説明する。
【００３４】
先ず、第１段階として、部品（六角ナット）６を部品保持部５に保持（嵌合）させる（図２参照）。
【００３５】
次に、部品６が保持されている部品保持具１を横転（上側を後背側に倒す）させる。そして、アーム部９ａ，１０ａの先端を被配設部材１２の表面（前面）に当てる。この状態（横転状態）の部品保持具１の後面部３の背面（裏面）を開口１３の下端縁に載せる。かつ、部品保持具１の左側面部２および右側面部４の前端面（凸部７，８の前面）が開口１３の上端縁に掛かるようにする（図３参照）。
【００３６】
この後、開口１３の前方側から、部品保持具１を、開口１３の後方側に押し込む（図４参照）。
【００３７】
そして、部品保持具１の下端側を押圧することにより、図５に示される如くになる。すなわち、部品６が保持されている部品保持具１が被配設部材１２に対して配設される。この状態にあっては、部品保持具１（部品保持具１に保持されている部品６）は、コイルバネ９，１０によって、被配設部材１２に、掛止・弾接されている。そして、上下方向においては、部品保持具１の左側面部２および右側面部４（凸部７，８）が開口１３に掛止している。従って、部品保持具１は被配設部材１２に対して取り付けられたことになるから、部品保持具１で保持されている部品６も被配設部材１２に対して取り付けられたことになる。そして、被配設部材１２の後方側に手を差し伸べずとも、部品（ナット）の取付けが行えた。
【００３８】
よって、前方側からボルトをナット６に差し込むことが出来る。
【００３９】
さて、上記実施形態にあっては、被配設部材１２の開口１３を上記の如きの形状のものとしたから、部品保持具１を横転状態にしなければ、配設することが出来なかった。逆に言うと、横転させることによって、配設可能になった。そして、取付状態においては、開口１３は部品保持具１によって塞がれた如きのものとなり、隙間が目立ち難い特長が奏される。
【００４０】
しかしながら、開口の形状を次のようにしたならば、部品保持具１を横転させずとも、配設できるようになる。すなわち、被配設部材１２の開口を図６，７，８の如きの形状のものとする。
【００４１】
例えば、開口を、第１の開口１４と第２の開口１５とで構成する。第１の開口１４の形状は、図６にも示される通り、部品６が保持された部品保持具１の正面形状よりも多少大きな形状のものとする。従って、第１の開口１４の手前（前方）側から、部品６が保持された部品保持具１を、第１の開口１４を介して、後方側に挿入できる。但し、アーム部９ａ，９ｂ，１０ａ，１０ｂが被配設部材１２の前面に引っ掛かるので、それ以上は、部品保持具１を挿入することは出来ない（図６，７参照）。
【００４２】
部品６が保持された部品保持具１が第１の開口１４から挿入されて図６，７に示される状態のものとなった後、今度は、部品６が保持された部品保持具１を、被配設部材１２の面に沿って左または右方向に多少スライドさせる。スライド長は、第２の開口１５の大きさによって決まる。例えば、数ｍｍ程度のスライドでも良く、数ｃｍ〜数十ｃｍ程度のスライドでも本発明の観点からは差し支えが無い。しかしながら、スライド長を長くしたことによる格別なメリットは無い（スライド長を長くした場合、寧ろ、隙間が大きくなると言うデメリットが生じる。）ことから、数ｍｍ程度のスライドで十分である。さて、第２の開口１５は第１の開口１４に繋がって左側または右側に形成されたものである。この第２の開口１５は、その形状が矩形状である。例えば、スライド方向における長さが数ｍｍ程度（例えば、５ｍｍ以内程度）、スライド方向に対して直交する方向での長さが（部品保持具１の凸部７，８の上下方向の寸法）＋数ｍｍ（例えば、１ｍｍ以内程度）の矩形である。
【００４３】
さて、スライド後にあっては、図８に示される如く、部品保持具１の一部（第２の開口の形状を大きくした場合、即ち、スライド方向における長さを長くした場合には、部品保持具１の全部）が第２の開口１５に位置する。部品保持具１がスライドして第２の開口１５に位置すると、この位置では、部品保持具１で保持されている部品６の面が、被配設部材１２の非開口面に当接する。そして、図８に示される状態のものでは、被配設部材１２は、アーム部９ａ，９ｂ，１０ａ，１０ｂと、部品保持具１で保持されている部品６とで挟持されている。しかも、部品保持具１（部品保持具１に保持されている部品６）は、コイルバネ９，１０によって、被配設部材１２に、弾接されている。上下方向においては、部品保持具１の左側面部２および右側面部４（凸部７，８）が開口１４，１５に掛止している。従って、部品保持具１は被配設部材１２に対して取り付けられたことになるから、部品保持具１で保持されている部品６も被配設部材１２に対して取り付けられたことになる。
【００４４】
よって、この状態にて、前方側からボルトをナット６に差し込むことが出来るようになる。この時、被配設部材１２の後方側に手を差し伸べずとも、部品（ナット）の取付けが行える。しかも、部品保持具１の配設（開口への挿入）に際して、部品保持具１を横転させなくても済む。すなわち、上記実施形態の場合に比べると、コイルバネ９，１０に抗する大きな力を作用させなくても済むので、部品保持具１の配設作業が容易である。但し、図１〜図５に示された実施形態のものにあっては、図６，７，８に示される実施形態のものに比べて、開口を小さくできるから、開口１３が部品保持具１で効果的に塞がれ、隙間が出来難い。
【００４５】
図９，１０は、本発明になる部品保持具の付勢部材の他の例を示すものである。前記実施形態にあっては、金属製のコイルバネで構成したものであるが、これは、図９，１０の如きに構成されたものであっても良い。その材料も、金属に限られること無く、樹脂であっても良い。その他の基本的な構成は上記実施形態のものと同様であるから、詳細は、省略される。例えば、図９に示される第３実施形態の部品保持具にあっては、コイルバネ９，１０の代わりに樹脂で所望形状（図９参照）に一体成型された付勢部材１６が取り付けられた場合である。図１０に示される第４実施形態の部品保持具にあっては、コイルバネ９，１０の代わりに樹脂で所望形状（図１０参照）に成型された付勢部材１７，１８が部品保持具１の左右に各々取り付けられた場合である。そして、付勢部材としては、これ等の他にも各種の形状のものが適宜考えられる。
【符号の説明】
【００４６】
１                          部品保持具
２                          左側面部
３                          後面部
４                          右側面部
５                          部品保持部
６                          部品（六角ナット）
７，８                      凸部
９，１０                    コイルバネ
９ａ，９ｂ，１０ａ，１０ｂ  アーム部
１１                        孔
１２                        被配設部材
１３                        開口
１４                        第１の開口
１５                        第２の開口
【図１】
0005382718.tif 000002
【図２】
0005382718.tif 000003
【図３】
0005382718.tif 000004
【図４】
0005382718.tif 000005
【図５】
0005382718.tif 000006
【図６】
0005382718.tif 000007
【図７】
0005382718.tif 000008
【図８】
0005382718.tif 000009
【図９】
0005382718.tif 000010
【図１０】
0005382718.tif 000011